(57)【要約】  走査期間Ｔ１に続けて休止期間Ｔ２を設けて、走査線駆動回路（４）および信号線駆動回路（６）を駆動するタイミングコントローラー（１０）と、外光の強度の検出データを取得するデータ解析部（１０１）と、少なくとも休止期間Ｔ２において、データ解析部（１０１）が取得した検出データに応じて上記画面に照射する光の輝度を調整するためのＢＬ制御信号を出力するＢＬ輝度設定部（１０４）と、を備える。
2012137791.tif 000002
【特許請求の範囲】
【請求項１】
マトリクス状に配置された複数の画素からなる画面における複数の走査信号線のそれぞれを順次選択する走査線駆動回路と、
選択された走査信号線に連なる複数の画素のそれぞれに対応するデータ信号線を介して、データ信号を順次供給する信号線駆動回路と、
１画面を走査する走査期間に続けて、全走査信号線を非走査状態とする休止期間を設けて上記走査線駆動回路および上記信号線駆動回路を駆動する駆動制御部と、
外光の強度の検出データを取得する検出データ取得部と、
少なくとも上記休止期間において、上記検出データ取得部が取得した検出データに応じて上記画面に照射する光の輝度を調整するための輝度制御信号を出力する輝度制御信号出力部と、
を備えることを特徴とする表示装置。
【請求項２】
上記輝度制御信号出力部は、
上記休止期間における上記輝度制御信号を、上記走査期間と同一の出力基準に従って出力することを特徴とする請求項１に記載の表示装置。
【請求項３】
上記輝度制御信号出力部は、
予め定められた外光の強度と上記画面に照射する光の輝度との対応関係に基づいて決定される輝度設定値に応じて上記輝度制御信号を生成することを特徴とする請求項１または２に記載の表示装置。
【請求項４】
上記輝度制御信号出力部は、
上記光の輝度の調整を行う期間であって、少なくとも１つの垂直同期期間からなるディミング期間において、該ディミング期間に含まれる垂直同期期間ごとに上記輝度制御信号を出力することを特徴とする請求項３に記載の表示装置。
【請求項５】
上記駆動制御部は、
上記ディミング期間内に新たな走査期間を設けることを特徴とする請求項４に記載の表示装置。
【請求項６】
上記駆動制御部は、
上記輝度制御信号出力部が上記輝度制御信号の出力を停止するタイミングで、上記新たな走査期間を終了させて休止期間に戻すことを特徴とする請求項５に記載の表示装置。
【請求項７】
上記輝度制御信号出力部は、
上記対応関係に基づいて決定される上記輝度設定値に応じてデューティ比を調整したパルス幅変調信号を、上記輝度制御信号として生成することを特徴とする請求項３から６までのいずれか１項に記載の表示装置。
【請求項８】
液晶表示装置であることを特徴とする請求項１から７までのいずれか１項に記載の表示装置。
【請求項９】
少なくとも上記新たな走査期間において、上記検出データ取得部が取得した検出データに応じて上記画面の各画素に出力する階調値を調整するための階調制御信号を出力する階調制御信号出力部を備えていることを特徴とする請求項５に記載の表示装置。
【請求項１０】
上記階調制御信号出力部は、
予め定められた外光の強度と上記画面の各画素に出力する階調値との対応関係に基づいて決定される階調設定値に応じて上記階調制御信号を生成することを特徴とする請求項９に記載の表示装置。
【請求項１１】
上記階調制御信号出力部は、
上記新たな走査期間に含まれる垂直同期期間ごとに上記階調制御信号を出力することを特徴とする請求項１０に記載の表示装置。
【請求項１２】
上記出力基準は、上記休止期間において輝度値制御を行う時間間隔を、上記走査期間における時間間隔と同一にする基準を含むことを特徴とする請求項２に記載の表示装置。
【請求項１３】
上記輝度制御信号出力部は、
予め定められた外光の強度と上記画面に照射する光の輝度との対応関係に基づいて決定される輝度設定値に応じて上記輝度制御信号を生成し、
上記出力基準は、上記休止期間における外光の強度に対して上記輝度設定値を決定する基準を、上記走査期間における外光の強度に対して上記輝度設定値を決定する基準と同一にすることを含むことを特徴とする請求項２に記載の表示装置。
【請求項１４】
マトリクス状に配置された複数の画素からなる画面における複数の走査信号線のそれぞれを順次選択する走査線駆動回路と、選択された走査信号線に連なる複数の画素のそれぞれに対応するデータ信号線を介して、データ信号を順次供給する信号線駆動回路と、を備えた表示装置の駆動方法であって、
１画面を走査する走査期間に続けて、全走査信号線を非走査状態とする休止期間を設けて上記走査線駆動回路および上記信号線駆動回路を駆動する駆動制御工程と、
外光の強度の検出データを取得する検出データ取得工程と、
少なくとも上記休止期間において、上記検出データ取得工程で取得した検出データに応じて上記画面に照射する光の輝度を調整するための輝度制御信号を出力する輝度制御信号出力工程と、
を含むことを特徴とする表示装置の駆動方法。
【請求項１５】
マトリクス状に配置された複数の画素からなる画面における複数の走査信号線のそれぞれを順次選択する走査線駆動回路と、
選択された走査信号線に連なる複数の画素のそれぞれに対応するデータ信号線を介して、データ信号を順次供給する信号線駆動回路と、
１画面を走査する走査期間に続けて、全走査信号線を非走査状態とする休止期間を設けて上記走査線駆動回路および上記信号線駆動回路を駆動する駆動制御部と、
外光の強度の検出データを取得する検出データ取得部と、
少なくとも上記休止期間において、上記検出データ取得部が取得した検出データに応じて上記画面に照射する光の輝度を調整するための輝度制御信号を出力する輝度制御信号出力部と、を備えた表示装置と、
外光の強度の検出データを出力する光検出部と、
上記表示装置の輝度制御信号出力部が出力する輝度制御信号を取得し、取得した輝度制御信号に応じて上記画面に照射する光の輝度を調整する光照射部と、を備えることを特徴とする電子機器。
【発明の詳細な説明】
【技術分野】
【０００１】
本発明は、画像または動画などを表示する表示装置、その駆動方法および該表示装置を備える電子機器に関する。
【背景技術】
【０００２】
近年、液晶表示装置に代表される薄型、軽量、および低消費電力の表示装置が盛んに活用されている。こうした表示装置は、例えば携帯電話、スマートフォン、またはラップトップ型パーソナルコンピュータへの搭載が顕著である。また、今後はより薄型の表示装置である電子ペーパーの開発および普及も急速に進むことが期待されている。このような状況の中、現在、各種の表示装置において消費電力を低下させることが共通の課題となっている。【０００３】
消費電力を低下させる第１の方法として、表示装置の制御回路および駆動回路などの周辺回路を停止（間欠駆動）させることで消費電力を小さくする方法が知られている。【０００４】
例えば、特許文献１には、画面を１回走査する走査期間よりも長い休止期間を設けることによって、低消費電力を実現する表示装置の駆動方法が開示されている。【０００５】
また、消費電力を低下させる第２の方法として、外光の強度の検出結果に応じてバックライト（以下、「ＢＬ」と略称する）の輝度をコントロールし、消費電力を小さくする方法（以下、「ＢＬ制御」と略称する）が知られている。【０００６】
さらに、消費電力を低下させる第３の方法として、低消費電力モードで特定の周辺回路のみの動作を継続させながら低消費電力化を図る方法が知られている。【０００７】
例えば、特許文献２には、ＣＰＵ（Central Process Unit）の動作を停止させながら、液晶表示装置の駆動回路に対して、通常の動作クロックの周波数よりも低く、表示がちらつかない程度の周波数のスリープクロックを与えることによって、消費電力を低減しつつ表示のちらつきを抑えている。
【先行技術文献】
【特許文献】
【０００８】
【特許文献１】日本国公開特許公報「特開２００１−３１２２５３号公報（公開日：２００１年１１月０９日）」
【特許文献２】日本国公開特許公報「特開２０００−３４７７６２号公報（公開日：２０００年１２月１５日）」
【発明の概要】
【発明が解決しようとする課題】
【０００９】
しかしながら、上記の特許文献１および２に記載の技術では以下の問題点がある。【００１０】
まず、上記の特許文献１および２では、上記第２の方法であるＢＬ制御については何も記載されていない。【００１１】
また、仮に特許文献１に記載の技術と上記のＢＬ制御とを単純に組み合わせた場合、休止期間中の表示品位が劣化する可能性がある。【００１２】
例えば、特許文献１に記載の技術では、休止期間中は、制御回路および駆動回路などの周辺回路を停止させるので、当然ながらＢＬ制御用の信号の供給も停止されると考えられる。そうすると、休止期間中にＢＬ制御が全く行われないので、走査期間中と比較して休止期間中の表示品位が劣化する可能性がある。また、最悪のケースでは休止期間中にＢＬが完全に消灯してしまう可能性もある。【００１３】
本発明は、上記従来の問題点に鑑みなされたものであって、消費電力を低減しつつ休止期間中の表示品位の劣化を抑えることができる表示装置などを提供することを目的とする。
【課題を解決するための手段】
【００１４】
本発明の表示装置は、上記の課題を解決するために、マトリクス状に配置された複数の画素からなる画面における複数の走査信号線のそれぞれを順次選択する走査線駆動回路と、選択された走査信号線に連なる複数の画素のそれぞれに対応するデータ信号線を介して、データ信号を順次供給する信号線駆動回路と、１画面を走査する走査期間に続けて、全走査信号線を非走査状態とする休止期間を設けて上記走査線駆動回路および上記信号線駆動回路を駆動する駆動制御部と、外光の強度の検出データを取得する検出データ取得部と、少なくとも上記休止期間において、上記検出データ取得部が取得した検出データに応じて上記画面に照射する光の輝度を調整するための輝度制御信号を出力する輝度制御信号出力部と、を備えることを特徴とする。【００１５】
また、本発明の表示装置の駆動方法は、上記の課題を解決するために、マトリクス状に配置された複数の画素からなる画面における複数の走査信号線のそれぞれを順次選択する走査線駆動回路と、選択された走査信号線に連なる複数の画素のそれぞれに対応するデータ信号線を介して、データ信号を順次供給する信号線駆動回路と、を備えた表示装置の駆動方法であって、１画面を走査する走査期間に続けて、全走査信号線を非走査状態とする休止期間を設けて上記走査線駆動回路および上記信号線駆動回路を駆動する駆動制御工程と、外光の強度の検出データを取得する検出データ取得工程と、少なくとも上記休止期間において、上記検出データ取得工程で取得した検出データに応じて上記画面に照射する光の輝度を調整するための輝度制御信号を出力する輝度制御信号出力工程と、を含むことを特徴とする。【００１６】
上記の構成または方法によれば、駆動制御部または駆動制御工程では、１画面を走査する走査期間に続けて、全走査信号線を非走査状態とする休止期間を設けて走査線駆動回路および信号線駆動回路を駆動する。【００１７】
これにより、１画面を書き換える走査期間の後に、休止期間を設けることによって、データ信号の供給周波数に比例して増加するデータ信号線駆動回路の消費電力を容易に削減することができる。【００１８】
また、検出データ取得部または検出データ取得工程では、外光の強度の検出データを取得し、輝度制御信号出力部または輝度制御信号出力工程では、少なくとも上記休止期間において、上記検出データ取得工程で取得した検出データに応じて上記画面に照射する光の輝度を調整するための輝度制御信号を出力する。言い換えれば、本発明の表示装置またはその駆動方法では、少なくとも休止期間において、上記画面に照射する光の輝度を調整する（以下、「輝度値制御」という）ことが可能となる。【００１９】
一方、上記の特許文献１の技術と輝度値制御（例えば、ＢＬ制御）とを単純に組み合わせた場合のように、休止期間において輝度値制御用の信号の供給を停止してしまうと、輝度値制御が効果的に行われず、表示のちらつきなどの不具合が発生する可能性が高い。【００２０】
しかしながら、本発明の上記の構成または方法によれば、上記の特許文献１の技術と輝度値制御とを単純に組み合わせた場合のように、少なくとも休止期間で輝度値制御が停止してしまうことがないため、休止期間において輝度値制御が行われないことによる表示のちらつきなどの不具合の発生を抑えることができる。【００２１】
以上により、消費電力を低減しつつ休止期間中の表示品位の劣化を抑えることができる。【００２２】
また、本発明の電子機器は、上記の課題を解決するために、マトリクス状に配置された複数の画素からなる画面における複数の走査信号線のそれぞれを順次選択する走査線駆動回路と、選択された走査信号線に連なる複数の画素のそれぞれに対応するデータ信号線を介して、データ信号を順次供給する信号線駆動回路と、１画面を走査する走査期間に続けて、全走査信号線を非走査状態とする休止期間を設けて上記走査線駆動回路および上記信号線駆動回路を駆動する駆動制御部と、外光の強度の検出データを取得する検出データ取得部と、少なくとも上記休止期間において、上記検出データ取得部が取得した検出データに応じて上記画面に照射する光の輝度を調整するための輝度制御信号を出力する輝度制御信号出力部と、を備えた表示装置と、外光の強度の検出データを出力する光検出部と、上記表示装置の輝度制御信号出力部が出力する輝度制御信号を取得し、取得した輝度制御信号に応じて上記画面に照射する光の輝度を調整する光照射部と、を備えることを特徴とする。【００２３】
上記構成によれば、光検出部は、外光の強度の検出データを出力する。また、光照射部は、上記表示装置の輝度制御信号出力部が出力する輝度制御信号を取得し、取得した輝度制御信号に応じて上記画面に照射する光の輝度を調整する。【００２４】
よって、消費電力を低減しつつ休止期間中の表示品位の劣化を抑えることができる電子機器を実現できる。
【発明の効果】
【００２５】
本発明の表示装置は、以上のように、マトリクス状に配置された複数の画素からなる画面における複数の走査信号線のそれぞれを順次選択する走査線駆動回路と、選択された走査信号線に連なる複数の画素のそれぞれに対応するデータ信号線を介して、データ信号を順次供給する信号線駆動回路と、１画面を走査する走査期間に続けて、全走査信号線を非走査状態とする休止期間を設けて上記走査線駆動回路および上記信号線駆動回路を駆動する駆動制御部と、外光の強度の検出データを取得する検出データ取得部と、少なくとも上記休止期間において、上記検出データ取得部が取得した検出データに応じて上記画面に照射する光の輝度を調整するための輝度制御信号を出力する輝度制御信号出力部と、を備える構成である。【００２６】
また、本発明の表示装置の駆動方法は、以上のように、１画面を走査する走査期間に続けて、全走査信号線を非走査状態とする休止期間を設けて上記走査線駆動回路および上記信号線駆動回路を駆動する駆動制御工程と、外光の強度の検出データを取得する検出データ取得工程と、少なくとも上記休止期間において、上記検出データ取得工程で取得した検出データに応じて上記画面に照射する光の輝度を調整するための輝度制御信号を出力する輝度制御信号出力工程と、を含む方法である。【００２７】
また、本発明の電子機器は、以上のように、上記表示装置と、外光の強度の検出データを出力する光検出部と、上記表示装置の輝度制御信号出力部が出力する輝度制御信号を取得し、取得した輝度制御信号に応じて上記画面に照射する光の輝度を調整する光照射部と、を備える構成である。【００２８】
それゆえ、消費電力を低減しつつ休止期間中の表示品位の劣化を抑えることができるという効果を奏する。【００２９】
本発明の他の目的、特徴、および優れた点は、以下に示す記載によって十分分かるであろう。また、本発明の利点は、添付図面を参照した次の説明で明白になるであろう。
【図面の簡単な説明】
【００３０】
【図１】本発明の一実施形態である表示システムの全体構成を示すブロック図である。
【図２】上記表示システムの要部構成を示すブロック図である。
【図３】本発明の他の実施形態である表示システムの全体構成を示すブロック図である。
【図４】上記表示システムの要部構成を示すブロック図である。
【図５】上記表示システムに関し、Ｗ_Ｅｎａｂｌｅ信号、表示装置の各構成の動作状態、画面（表示パネル）に入射する外光の強度、ＰＷＭ信号のＤｕｔｙ比、およびバックライトの輝度、の各状態を示すタイミングチャートであり、（ａ）は、外光の強度が高くなったときの状態を示し、（ｂ）は、外光の強度が低くなったときの状態を示す。
【図６】上記表示システムに関し、Ｗ_Ｅｎａｂｌｅ信号、表示装置の動作状態、画面に入射する外光の強度、ＰＷＭ信号のＤｕｔｙ比、およびバックライトの輝度、の各状態を示すタイミングチャートであり、（ａ）は、外光の強度が徐々に高くなったときの状態を示し、（ｂ）は、外光の強度が徐々に低くなったときの状態を示す。
【図７】上記表示システムに関し、Ｗ_Ｅｎａｂｌｅ信号、表示装置の各構成の動作状態、画面に入射する外光の強度、ＰＷＭ信号のＤｕｔｙ比、およびバックライトの輝度、の各状態を示すタイミングチャートであり、（ａ）は、ＰＷＭ信号のＤｕｔｙ比を徐々に高くするディミング期間において、新たな走査期間を割り込ませたときの状態を示し、（ｂ）は、ＰＷＭ信号のＤｕｔｙ比を徐々に低くするディミング期間において、新たな走査期間を割り込ませたときの状態を示す。
【図８】上記表示システムに関し、ＰＷＭ信号のＤｕｔｙ比を徐々に高くするディミング期間において、新たな走査期間を割り込ませたときの、Ｗ_Ｅｎａｂｌｅ信号、表示装置の各構成の動作状態、画面に入射する外光の強度、ＰＷＭ信号のＤｕｔｙ比、およびバックライトの輝度、の各状態を示すタイミングチャートである。
【図９】ある表示装置の消費電力特性を表で示したものである。
【図１０】図９に示した消費電力特性をグラフで示したものである。
【発明を実施するための形態】
【００３１】
本発明の一実施形態について図１〜図１０に基づいて説明すれば、次の通りである。以下の特定の項目で説明する構成以外の構成については、必要に応じて説明を省略する場合があるが、他の項目で説明されている場合は、その構成と同じである。また、説明の便宜上、各項目に示した部材と同一の機能を有する部材については、同一の符号を付し、適宜その説明を省略する。
【００３２】
〔１．表示システム１００の構成〕
まず、本発明の一実施形態である表示システム（表示装置）１００の構成について、図１および２を参照して説明する。図１は、表示システム１００の全体構成を示すブロック図である。同図に示すように、表示システム１００は、表示装置１、システム側コントロール部３０ａ、センサ部（光検出部）４０および光照射部５０を備える。
【００３３】
＜システム側コントロール部３０ａ＞
システム側コントロール部３０ａは、タイミングコントローラー１０に対して入力映像信号（矢印Ａ）および入力映像同期信号として、水平同期信号（Ｈｓｙｎｃ信号）、垂直同期信号（Ｖｓｙｎｃ信号；矢印Ｂ）および入力クロック信号（ドットクロック信号ＤＣＫ）を出力する。
【００３４】
＜表示装置１＞
本実施形態では、表示装置１としてアクティブマトリクス液晶表示装置を例にとって説明する。しかしながら、本発明はこれに限定されるものではなく、ＴＦＴ素子を用いてアドレスするＥＬ（electro luminescence）表示装置などにも適用できる。また、上記の表示装置１は、携帯電話、ポケットゲーム機、ＰＤＡ（personal digital assistants）、携帯ＴＶ、リモートコントロール、ノート型パーソナルコンピュータ、その他の携帯端末などに搭載可能である。これらの携帯機器はバッテリー駆動されることが多く、消費電力を低減しつつ表示品位の劣化を抑えることができる表示装置１を搭載することにより、長時間駆動が容易になる。
【００３５】
表示装置１は、表示パネル（画面）２、走査線駆動回路４、信号線駆動回路６、共通電極駆動回路８、タイミングコントローラー（駆動制御部）１０、電源生成回路１４を備える。
【００３６】
（表示パネル２）
表示パネル２は、マトリクス状に配置された複数の画素からなる画面を線順次に選択して走査するためのＮ本の走査信号線Ｇ（ｎ）（ゲートライン；ｎは整数、０≦ｎ≦Ｎ、Ｎは自然数）を備える。また、選択されたゲートラインに含まれる（に連なる）一行分の画素にデータ信号を供給するＭ本のデータ信号線Ｓ（ｉ）（ソースライン；ｉは整数、０≦ｉ≦Ｍ、Ｍは自然数）を備える。走査信号線Ｇ（ｎ）とデータ信号線Ｓ（ｉ）とは互いに直交している。
【００３７】
図１に示すＧ（ｎ）はｎ本目の走査信号線を表す。たとえばＧ（１）、Ｇ（２）およびＧ（３）は、それぞれ１本目、２本目および３本目の走査信号線を表す。一方、Ｓ（ｉ）はｉ本目のデータ信号線を表す。たとえば、Ｓ（１）、Ｓ（２）およびＳ（３）は、それぞれ１本目、２本目および３本目のデータ信号線を表す。
【００３８】
なお、本実施形態は、説明の簡便のため等価回路を対象にした駆動を例にしており、表示パネル２内の各画素にはＴＦＴが設けられており、ＴＦＴのドレイン電極は画素電極に接続されている。
【００３９】
（走査線駆動回路４）
走査線駆動回路４は、各走査信号線Ｇ（ｎ）を画面の上から下に向かって線順次走査する。その際、各走査信号線Ｇ（ｎ）に対して、画素に備えられ画素電極に接続されるスイッチング素子（ＴＦＴ）をオン状態にさせるための矩形波（走査信号）を出力する。これにより、画面内の１行分の画素を選択状態にする。
【００４０】
（信号線駆動回路６）
信号線駆動回路６には、メモリ１６から入力される映像信号（矢印Ｅ）に基づき、選択された１行分の各画素に出力すべき電圧の値を算出し、その値の電圧を各データ信号線（ｉ）に出力する。結果、選択された走査信号線Ｇ（ｎ）上にある各画素に対して画像データ（データ信号）を供給する。
【００４１】
（共通電極駆動回路８）
表示装置１は、画面内の各画素に対して、更に共通電極（不図示）を備えている。共通電極駆動回路８は、タイミングコントローラー１０から入力される極性反転信号（矢印Ｇ）に基づき、所定の共通電圧を共通電極に出力することで共通電極を駆動する。
【００４２】
（タイミングコントローラー１０）
図１に示すように、タイミングコントローラー１０にはメモリ１６が内蔵されており、メモリ１６は、システム側コントロール部３０ａから入力された入力映像信号（矢印Ａ）を記録する機能を有する。なお、本実施形態では、表示装置１が、メモリ１６を備えた構成であるものとして説明するが、表示装置１は、必ずしもメモリ１６を備えている必要はない。
【００４３】
また、本実施形態では、メモリ１６は、タイミングコントローラー１０に内蔵されているものとして説明するが、メモリ１６とタイミングコントローラー１０とは別々に設けられていても良い。
【００４４】
また、タイミングコントローラー１０には、入力映像同期信号として、水平同期信号（Ｈｓｙｎｃ信号）、垂直同期信号（Ｖｓｙｎｃ信号）および上記のドットクロック信号ＤＣＫが入力される（矢印Ｂ）。タイミングコントローラー１０は、これらの入力映像同期信号とドットクロック信号ＤＣＫに基づき、各回路が同期して動作するための基準となる映像同期信号として、水平同期系制御信号（ゲートクロック信号ＧＣＫなど）および垂直同期系制御信号（ゲートスタートパルス信号ＧＳＰなど）を生成し、走査線駆動回路４、信号線駆動回路６に出力する（矢印Ｃ、Ｄ）。また、メモリ１６は、タイミングコントローラー１０が受け取った映像同期信号とドットクロック信号ＤＣＫに従って、記録した入力映像信号に基づく映像信号（矢印Ｅ）を、信号線駆動回路６に出力する。
【００４５】
より具体的には、タイミングコントローラー１０は、走査線駆動回路４にゲートスタートパルス信号ＧＳＰ、ゲートクロック信号ＧＣＫ、ゲートアウトプットイネーブル信号ＧＯＥを配信し、信号線駆動回路６にＲＧＢの階調データ、ソーススタートパルス信号ＳＳＰ、ソースラッチストローブ信号ＳＬＳ、およびソースクロック信号ＳＣＫを配信する。
【００４６】
メモリ１６に蓄積されている映像信号は、データ信号の基になるデータである。
【００４７】
上記の走査線駆動回路４は、走査信号線ドライバであり、表示パネル２の各走査信号線に、選択期間と非選択期間とのそれぞれに応じた電圧を出力する。具体的には、走査線駆動回路４は、タイミングコントローラー１０から受け取ったゲートスタートパルス信号ＧＳＰを合図に表示パネル２の走査を開始し、ゲートクロック信号ＧＣＫに従って各走査信号線に順次選択電圧を印加していく。
【００４８】
上記の信号線駆動回路６は、データ信号線ドライバであり、表示パネル２の各データ信号線にデータ信号を出力し、選択されている走査信号線上にある画素のそれぞれに画像データを供給する。具体的には、信号線駆動回路６は、タイミングコントローラー１０から受け取ったソーススタートパルス信号ＳＳＰを基に、送られてきた各画素の階調データをソースクロック信号ＳＣＫに従ってレジスタ（不図示）に蓄え、次のソースラッチストローブ信号ＳＬＳに従って表示パネル２の各データ信号線に階調データを書き込む。
【００４９】
また、図２に示すように、タイミングコントローラー１０には、垂直同期系制御信号（ゲートスタートパルス信号ＧＳＰのパルス間隔など）および水平同期系制御信号（ゲートクロック信号ＧＣＫの周波数など）を調整して休止駆動制御信号（以下、Ｗ_Ｅｎａｂｌｅ信号と呼ぶ）を生成する休止駆動制御部１０８が設けられている。
【００５０】
休止駆動制御部１０８は、１画面を走査する走査期間Ｔ１に続けて、全走査信号線を非走査状態とする休止期間Ｔ２を設けて走査線駆動回路４および信号線駆動回路６を駆動する。なお、休止期間Ｔ２の長さは、走査期間Ｔ１よりも短くしても構わないが、低消費電力化の観点からは、休止期間Ｔ２の長さは、走査期間Ｔ１よりも長くすることが好ましい。
【００５１】
ここで、ゲートスタートパルス信号ＧＳＰのパルス間隔は、表示のフレーム周波数が通常の６０Ｈｚである場合は約１６．７ｍｓｅｃである。休止駆動制御部１０８は、例えば、このゲートスタートパルス信号ＧＳＰのパルス間隔を１６７ｍｓｅｃと長くする。１画面の走査期間Ｔ１が通常のままであるとすると、上記のパルス間隔のうち約９／１０は全走査信号線を非走査状態とする期間となる。このように、休止駆動制御部１０８は、走査期間Ｔ１が終了した後に再びゲートスタートパルス信号ＧＳＰが走査線駆動回路４に入力されるまでの非走査期間（全走査信号線を非選択の状態とする期間）が、走査期間Ｔ１より長くなるように設定しても良い。
【００５２】
休止駆動制御部１０８で非走査期間として休止期間Ｔ２を設定すると、１表示サイクル（期間）は走査期間Ｔ１と休止期間Ｔ２との和になる。例えば、走査期間Ｔ１を通常の６０Ｈｚ相当の時間に設定すると、それよりも長い休止期間Ｔ２が存在するために、垂直周波数が３０Ｈｚより低い周波数となる。走査期間Ｔ１と非走査期間とは、静止画や動画など表示したい画像における動きの程度に応じて適宜設定すればよく、休止駆動制御部１０８では画像の内容に応じて複数の非走査期間を設定することができるようになっている。
【００５３】
このように、休止期間Ｔ２を設けることにより、画面を書き換える回数、すなわち信号線駆動回路６から出力するデータ信号の供給周波数を減少させることができるので、画素を充電する電力を削減することができる。したがって、表示装置１が明るさ、コントラスト、応答速度、階調性などの基本的な表示品位を確保することのできるアクティブマトリクス型の液晶表示装置である場合に、非走査期間として休止期間Ｔ２を設定すれば、データ信号の供給周波数に比例して増加する信号線駆動回路６の消費電力を、上記表示品位を犠牲にすることなく容易にかつ十分に削減することができる。
【００５４】
このような理由から、静止画のように画像に動きのない表示や、動画でも画像に動きの少ない表示などに対しては、非走査期間を長い休止期間Ｔ２に設定すればよい。また、動きの多い動画に対しては、非走査期間として短い休止期間Ｔ２に設定すればよい。例えば１６．７ｍｓｅｃという走査期間に対して十分短い非走査期間に設定すると、駆動周波数は通常の６０Ｈｚ相当となるので、十分に速い動画表示が可能になる。これに対し、非走査期間を３３３３ｍｓｅｃという長い休止期間Ｔ２に設定すると、静止画や動きの少ない動画に対して、画面を書き換えることによる消費電力を基本的な表示品位を保ったまま削減することができる。すなわち、表示パネル２を動画ディスプレイと低消費電力ディスプレイとに切り換えて使用することができる。このように、静止画や動画など表示画像の種類に応じて画面を書き換える周期を変化させることができるので、表示画像の種類ごとに最適な低消費電力化を図ることができる。
【００５５】
なお、本明細書における説明としては、特段の断りがない限り、「１垂直期間」とは、上記Ｖｓｙｎｃ信号に基づいて規定される期間を意味し、「１水平期間」とは、上記Ｈｓｙｎｃ信号に基づいて規定される期間を意味することとする。しかしながら、本実施形態のように表示装置１がメモリ１６を有する構成であり、例えば、２倍速表示等が可能となっているような場合、表示装置１に別にクロック生成回路が内蔵されているケースも考えられる。よって、このようなケースでは、システム側コントロール部３０ａ側から入力されるＶｓｙｎｃ信号およびＨｓｙｎｃ信号からなる１垂直期間および１水平期間と関係なく、表示装置１に内蔵されているクロックの時間間隔を用いて１垂直期間および１水平期間を規定しても良い。
【００５６】
また、後述する走査フレーム、休止フレームおよび割込走査フレームのそれぞれの長さの単位は、１垂直期間であるとし、１垂直期間ごとに１フレームと数える。例えば、休止フレームの長さが、９垂直期間分の長さのとき、休止フレームは、９フレームの長さを有するという。
【００５７】
走査線駆動回路４は、タイミングコントローラー１０から受け取った水平同期系信号、垂直同期系信号およびＷ_Ｅｎａｂｌｅ信号に従って、表示パネル２の走査を開始し、各走査信号線Ｇ（ｎ）を順次選択して走査信号を出力する。
【００５８】
信号線駆動回路６は、タイミングコントローラー１０から受け取った水平同期系信号およびＷ_Ｅｎａｂｌｅ信号に従って、メモリ１６から入力された映像信号に基づく画像データ（データ信号）を、表示パネル２の各データ信号線Ｓ（ｉ）に順次書き込む。
【００５９】
次に、図２に基づき、タイミングコントローラー１０の各構成の詳細について説明する。図２は、表示システム１００の要部構成を示すブロック図である。同図に示すように、タイミングコントローラー１０は、データ解析部（検出データ取得部）１０１、ＢＬ輝度レベル決定部１０２、ＢＬ輝度ディミング期間決定部１０３、ＢＬ輝度設定部（輝度制御信号出力部）１０４、階調設定決定部１０５、階調設定ディミング期間決定部１０６、階調設定制御部（階調制御信号出力部）１０７、休止駆動制御部１０８、および映像データ出力タイミング決定部１０９を備える。
【００６０】
データ解析部１０１は、所定のタイミングでセンサ部４０に対してセンシング指令信号（以下、Ｓ_Ｅｎａｂｌｅ信号という）を送る。
【００６１】
センサ部４０のセンシング部制御部２６は、Ｓ_Ｅｎａｂｌｅ信号を受け取り、センシング部２４を動作させ、センシング部２４が検出した検出データ（アナログ）を受け取る。また、センシング部制御部２６は、センシング部２４から受け取った検出データ（アナログ）に対して下記（１）〜（４）の演算処理を行い、その演算結果をデータ解析部１０１に返す。
（１）検出データ（アナログデータ）に対してＡ／Ｄ（アナログ／デジタル）変換を行って検出データ（デジタルデータ）を出力する。
（２）５０／６０Ｈｚフリッカ除去フィルタを用いて検出データ（デジタルデータ）のノイズを除去する。
（３）所定の補正係数の乗算する。
（４）メディアンフィルタによるフィルタリングを行う。
【００６２】
なお、メディアンフィルタは、上記（３）の演算結果（後述するマトリクス状に配列されたＰＤから検出される各電圧値に対応）を小さい順に並べ、中央値（メディアン）を抽出するフィルタである。
【００６３】
データ解析部１０１は、センシング部制御部２６から上記の演算結果を受け取り（検出データ取得工程）、演算結果の値が予め定められた複数段階の照度レベルの区分（出力基準；例えば、基準照度レベルに対してＵＰ側に１６段階、ＤＯＷＮ側に１６段階の区分を設ける）のいずれに属するかを判定し、判定された照度レベルの区分をＢＬ輝度レベル決定部１０２に通知する。
【００６４】
ＢＬ輝度レベル決定部１０２は、データ解析部１０１から通知を受けた照度レベルの区分に基づき、ＢＬ輝度設定値（輝度設定値）を決定する。決定されたＢＬ輝度設定値は、ＢＬ輝度ディミング期間決定部１０３に渡される。
【００６５】
このように、外光の強度（検出データ）とＢＬ輝度設定値とは予め対応付けられており、ＢＬ輝度レベル決定部１０２は、この対応関係に基づき、ＢＬ輝度設定値を決定する。また、上記の複数段階の照度レベルの区分は、外光の強度が高くなる（低くなる）ほど、照度レベルが大きくなる（小さくなる）ように対応付けられている。これにより、休止期間Ｔ２中に外光の強度が変化した場合でも、バックライト光（光）の輝度をより高くするか、またはより低くするかを決定できるので、休止期間中のＢＬ制御（輝度値制御）を適切に行うことが可能となる。これにより、表示品位の劣化を抑えることができる。
【００６６】
ＢＬ輝度ディミング期間決定部１０３は、ＢＬ制御を行う期間であるディミング期間Ｔｄの長さ（何フレームか）を決定する。なお、本実施形態では、１フレームから最大２５６フレームまで（２５６段階）の期間を設定できるようになっている。但し、ディミング期間Ｔｄは、上記の２５６段階に限定されず、２５６段階（２５６フレーム）を超えても良い。
【００６７】
次に、決定されたディミング期間Ｔｄは、ＢＬ輝度設定部１０４に渡される。なお、ＢＬ輝度設定部１０４は、少なくとも１フレームからなるディミング期間Ｔｄにおいて、ディミング期間Ｔｄに含まれる垂直同期期間（１フレーム）ごとにＢＬ輝度設定値を決定しても良い（出力基準）。
【００６８】
これにより、ディミング期間Ｔｄに含まれるフレーム数が多くなるほど、外光の強度の変化に追従した動的なＢＬ制御を行うことが可能となる。よって、表示にちらつきをほとんど生じさせることなくバックライト光の輝度を調整することができる。
【００６９】
ＢＬ輝度設定部１０４は、ＢＬ輝度ディミング期間決定部１０３から受け取ったＢＬ輝度設定値およびディミング期間Ｔｄから、ＢＬ制御信号としてパルス幅変調信号（ＰＷＭ信号）を生成し、光照射部５０（ＢＬ制御部３６）に受け渡す（輝度制御信号出力工程）。なお、ＰＷＭ信号のＤｕｔｙ比（デューティ比）は、ＢＬ輝度設定値に応じて変化する。すなわち、ＢＬ輝度設定値が大きい場合、ＰＷＭ信号のＤｕｔｙ比も大きくなり、ＢＬ輝度設定値が小さい場合、ＰＷＭ信号のＤｕｔｙ比も小さくなる。
【００７０】
なお、本実施形態では、ＰＷＭ信号のＤｕｔｙ比が大きい方が、バックライトが明るくなる場合について説明するがこれに限定されない。例えば、ＰＷＭ信号のＤｕｔｙ比が小さい方がバックライトが明るくなる回路の場合には、逆に、ＢＬ輝度設定値が大きい場合、ＰＷＭ信号のＤｕｔｙ比が小さくなり、ＢＬ輝度設定値が小さい場合、ＰＷＭ信号のＤｕｔｙ比が大きくなる。
【００７１】
このように、ＢＬ輝度設定部１０４からＢＬ制御部３６へ送るＢＬ制御信号（輝度制御信号）としてＰＷＭ信号を用いることで、一本の導線でＰＷＭ信号をＢＬ制御部３６に供給してバックライトの輝度を調整できるので、表示システム１００・２００の構成がより簡単になる。
【００７２】
一方、データ解析部１０１は、センシング部制御部２６から上記の演算結果を受け取り、受け取った演算結果の値が予め定められた複数段階の階調値の区分（出力基準；例えば、基準階調レベルに対してＵＰ側に１６段階、ＤＯＷＮ側に１６段階の区分を設ける）のいずれに属するかを判定し、判定された階調値の区分を、階調設定決定部１０５に通知する。
【００７３】
階調設定決定部１０５は、データ解析部１０１から通知を受けた階調値の区分に基づき、階調設定値を決定する。決定された階調設定値は、階調設定ディミング期間決定部１０６に渡される。
【００７４】
このように、外光の強度（検出データ）と階調設定値とは予め対応付けられており、階調設定決定部１０５は、この対応関係に基づき、階調設定値を決定する。また、上記の複数段階の階調値の区分は、外光の強度が高くなる（低くなる）ほど、階調値が大きくなる（小さくなる）ように対応付けられている。これにより、休止期間Ｔ２中に外光の強度が変化した場合でも、表示パネル２の画素の階調値をより高くするか、またはより低くするかを決定できるので、休止期間中の外光の強度に応じた画像処理（以下、「階調値制御」という）を適切に行うことが可能となる。これにより、表示品位の劣化を抑えることができる。
【００７５】
階調設定ディミング期間決定部１０６は、階調値制御を行う期間であるディミング期間Ｔｄの長さ（何フレームか）を決定する。なお、ＢＬ制御を行う期間であるディミング期間と階調値制御を行う期間であるディミング期間とはそれぞれ独立に設定しても構わないが、本実施形態は、共通のディミング期間を設定するものとし、その期間をディミング期間Ｔｄと呼ぶ。
【００７６】
決定されたディミング期間Ｔｄは、階調設定制御部１０７および休止駆動制御部１０８に渡される。
【００７７】
また、階調設定制御部１０７は、階調設定ディミング期間決定部１０６から受け取った階調設定値およびディミング期間Ｔｄから、階調制御信号（階調データなど）を生成し、映像データ出力タイミング決定部１０９に受け渡す。なお、映像データ出力タイミング決定部１０９は受け取った階調設定値およびディミング期間Ｔｄをメモリ１６に一時記憶させても良い。
【００７８】
また、休止駆動制御部１０８は、ディミング期間Ｔｄ内に割込走査フレームを割り込ませたＷ_Ｅｎａｂｌｅ信号を生成する。
【００７９】
なお、階調設定決定部１０５は、少なくとも１つの垂直同期期間からなるディミング期間Ｔｄにおいて、該ディミング期間Ｔｄに含まれる垂直同期期間（１フレーム）ごとに階調制御信号を設定しても良い（出力基準）。
【００８０】
これにより、ディミング期間Ｔｄに含まれるフレーム数が多くなるほど、外光の強度の変化に追従した動的な階調値制御を行うことが可能となる。よって、表示にちらつきをほとんど生じさせることなく表示パネル２の画素の階調値を調整することができる。
【００８１】
ここで、ＢＬ輝度ディミング期間と階調設定ディミング期間とは、等しい期間であっても良いし、異なる期間であっても良い。
【００８２】
（電源生成回路１４）
電源生成回路１４は、表示装置１の各回路が動作するために必要な電圧であるＶｄｄ、Ｖｄｄ２、Ｖｃｃ、Ｖｇｈ、およびＶｇｌを生成する。そして、Ｖｃｃ、Ｖｇｈ、Ｖｇｌを走査線駆動回路４に出力し、ＶｄｄおよびＶｃｃを信号線駆動回路６に出力し、Ｖｃｃをタイミングコントローラー１０に出力し、Ｖｄｄ２を共通電極駆動回路８に出力する。
【００８３】
＜センサ部４０＞
センサ部４０は、センシング部２４と、センシング部制御部２６とを備える。
【００８４】
（センシング部制御部２６）
センシング部制御部２６は、タイミングコントローラー１０から検出指令信号を受けて、センシング部駆動信号を生成し、センシング部２４に出力する。なお、本実施形態では、検出指令信号およびセンシング部駆動信号を共に「Ｓ_Ｅｎａｂｌｅ信号」と称する。また、センシング部制御部２６は、センシング部２４から受け取った検出データ（アナログ）に対して上記の演算処理を行い、その演算結果をタイミングコントローラー１０に出力する。
【００８５】
（センシング部２４）
センシング部２４は、単一または複数の光センサ（不図示）からなり、センシング部制御部２６からＳ_Ｅｎａｂｌｅ信号を受けて検出動作を行い、その検出データ（アナログ）をセンシング部制御部２６に返す。
【００８６】
なお、本実施形態では、センシング部２４として、各画素内に光センサが内蔵されたいわゆるタッチセンサを備えているものとして説明する。すなわち、表示装置１の表示パネル２は、例えば各画素内に光センサとしてフォトダイオード（ＰＤ）を内蔵する構成となっている。このＰＤには、キャパシタが接続され、ＰＤに入射する入射光のＰＤでの受光量の変化に応じてキャパシタの電荷量を変化させる構成となっている。そして、このキャパシタの両端の電圧を検出することによりＰＤに入射する入射光の強度を検出することができる。なお、表示パネル２に入射する外光の成分は、ＰＤに入射する入射光に含まれており、検出データを解析することによって、表示パネル２に入射する外光の強度を検出することが可能となっている。
【００８７】
＜光照射部５０＞
光照射部５０は、ＢＬ（バックライト）３４と、ＢＬ制御部（バックライト制御部）３６とを備える。
【００８８】
（ＢＬ３４）
ＢＬ３４は、複数のＬＥＤ（Light Emitting Diode）を備え、各ＬＥＤは、ＢＬ制御部３６から供給される電流Ｉによって発光する（ＢＬ３４からバックライト光が出射される）。ＢＬ３４から出射したバックライト光は、表示パネル２に照射される。
【００８９】
なお、本実施形態では、表示パネル２に光を照射する光源（光照射部）の一例としてＢＬ（バックライト）３４を備えているものとして説明する。しかしながら、表示パネル２に光を照射する光源としては、バックライトに限られず、フロントライトなどであっても良い。
【００９０】
（ＢＬ制御部３６）
ＢＬ制御部３６は、ＢＬ輝度設定部１０４から受け取ったパルス幅変調信号（ＰＷＭ信号）のＤｕｔｙ比（デューティ比）に応じてＢＬ３４を構成する複数のＬＥＤのそれぞれに供給される電流Ｉの実効値を変化させてＢＬ３４に供給する。
【００９１】
〔２．表示システム２００の構成〕
次に、本発明の他の実施形態である表示システム（表示装置）２００の構成について、図３および４を参照して説明する。図３は、表示システム２００の全体構成を示すブロック図であり、図４は、表示システム２００の要部構成を示す。
【００９２】
本実施形態の表示システム２００が、表示システム１００と異なる点は下記のとおりである。
（１）システム側コントロール部（駆動制御部）３０ｂが、センサ部４０に対してＳ_Ｅｎａｂｌｅ信号を送り、センサ部４０から検出データ（演算結果）を受け取る点。なお、システム側コントロール部３０ｂは、受け取った検出データをタイミングコントローラー１０に渡す。なお、表示システム２００では、上記のセンシング部制御部２６が、センシング部２４から受け取った検出データ（アナログ）をそのままシステム側コントロール部３０ｂに受け渡し、システム側コントロール部３０ｂが上記の演算処理を行うように構成しても良い。
（２）システム側コントロール部３０ｂが、ＢＬ輝度設定部１０４からＢＬ制御信号を受け取り、受け取ったＢＬ制御信号を、光照射部５０に渡す点。なお、表示システム２００では、上記のＢＬ輝度設定部１０４がＢＬ輝度ディミング期間決定部１０３から受け取ったＢＬ輝度設定値およびディミング期間Ｔｄをそのままシステム側コントロール部３０ｂに受け渡し、システム側コントロール部３０ｂが上記のＰＷＭ信号を生成して、光照射部５０に送るように構成しても良い。
【００９３】
なお、表示システム２００のその他の構成については、表示システム１００と同様なので、ここでは説明を省略する。
【００９４】
〔表示システム１００・２００の主要な動作〕
次に、図５から図８までに基づき、表示システム１００・２００の主要な動作について説明する。
【００９５】
（実施例１）
まず、図５の（ａ）および図５の（ｂ）に基づき、表示システム１００・２００の主要な動作の一例（実施例１）について説明する。
【００９６】
上述したようにタイミングコントローラー１０は、１画面を走査する走査期間Ｔ１（走査フレーム）に続けて、全走査信号線を非走査状態とする休止期間Ｔ２（休止フレーム）を設けて走査線駆動回路４および信号線駆動回路６を駆動する（駆動制御工程）。
【００９７】
これにより、１画面を書き換える走査期間Ｔ１の後に、休止期間Ｔ２を設けることによって、データ信号の供給周波数に比例して増加する走査線駆動回路４の消費電力を容易に削減することができる。
【００９８】
また、センサ部４０は、外光の強度を検出する（光検出工程）。なお、図５の（ａ）では、休止期間Ｔ２中のある時点から、時間が進むにつれて外光の強度が高くなっている様子を示している。一方、図５の（ａ）では、休止期間Ｔ２中のある時点から、時間が進むにつれて外光の強度が低くなっている様子を示している。
【００９９】
また、表示システム１００・２００では、同図に示すように、少なくとも休止期間Ｔ２においてセンサ部４０および光照射部５０を共に休止させずに動作状態（動作中）とする。
【０１００】
より具体的には、ＢＬ制御部３６は、センサ部４０が検出する外光の強度が強くなると、ＢＬ３４から表示パネル２に照射されるバックライト光の輝度を高くする（図５の（ａ））。一方、ＢＬ制御部３６は、センサ部４０が検出する外光の強度が弱くなると、ＢＬ３４から表示パネル２に照射されるバックライト光の輝度を低くする。なお、本実施例では、１フレーム間隔で（出力基準）パルス幅変調信号（ＰＭＷ）のＤｕｔｙ比（デューティ比）を大きく（小さく）しているので、同図に示すように、ＢＬ３４の輝度の変化は、外光の強度の変化と異なり、階段状に変化している。
【０１０１】
言い換えれば、表示システム１００・２００では、少なくとも休止期間Ｔ２においてＢＬ制御（および／または階調値制御）を行う。ここで、上述したように、休止期間Ｔ２が長ければ長い程、低消費電力化の効果が高いため、休止期間Ｔ２は走査期間Ｔ１と比べて比較的長く設定することが好ましい。このとき、外光の強度の変化が捕捉される確率は休止期間Ｔ２の方が高くなる。一方、上記の特許文献１の技術とＢＬ制御（および／または階調値制御）とを単純に組み合わせた場合のように、休止期間Ｔ２においてＢＬ制御（および／または階調値制御）を停止してしまうと、ＢＬ制御（および／または階調値制御）が効果的に行われず、表示のちらつきなどの不具合が発生する可能性が高い。
【０１０２】
しかしながら、表示システム１００・２００によれば、上記の特許文献１の技術とＢＬ制御（および／または階調値制御）とを単純に組み合わせた場合のように、少なくとも休止期間Ｔ２でＢＬ制御（および／または階調値制御）が停止してしまうことがないため、休止期間Ｔ２においてＢＬ制御（および／または階調値制御）が行われないことによる表示のちらつきなどの不具合の発生を抑えることができる。
【０１０３】
以上により、消費電力を低減しつつ休止期間中の表示品位の劣化を抑えることができる。
【０１０４】
ところで、仮に上記の特許文献２の技術と上記のＢＬ制御（および／または階調値制御）とを単純に組み合わせた場合、低消費電力モード（または休止期間）での表示品位が劣化する可能性があるという副次的な問題点がある。
【０１０５】
例えば、上記の特許文献２の技術では、低消費電力モードで液晶表示装置の駆動回路に対して、通常の動作クロックの周波数よりも低いスリープクロックが与えられるため、当然ながらＢＬ制御（および／または階調値制御）の基準となるクロック周波数も低くなる。
【０１０６】
このため、低消費電力モードでは、ＢＬ制御（および／または階調値制御）の動作も低速となってしまい、動的なアクティブＢＬ（および／または動的な階調値制御）を行う場合に、アクティブＢＬ（および／または動的な階調値制御）の機能を十分に発揮させることができず、表示のちらつきなどの不具合が発生する可能性がある。
【０１０７】
そこで、このような副次的な問題点を解決するために、表示システム１００・２００では、ＢＬ輝度設定部１０４および／または階調設定制御部１０７は、休止期間Ｔ２における輝度制御信号および／または階調制御信号を、走査期間Ｔ１と同一の出力基準に従って出力するようにしている。
【０１０８】
なお、「出力基準が同一」である場合の例としては、輝度値制御を行う時間間隔が同一である場合の他、外光の強度に対してＢＬ輝度設定値および／または階調設定値を決定する基準が同一である場合などを例示することができる。
【０１０９】
これにより、走査期間における輝度値制御（および／または階調値制御）と同一の出力基準に従った輝度値制御（および／または階調値制御）が、休止期間において行われる。よって、例えば、特許文献２に記載の技術のように、休止期間中に輝度値制御（および／または階調値制御）の動作が低速化したりすることはない。すなわち、走査期間と休止期間とで同様の輝度値制御（および／または階調値制御）を行うので、走査期間および休止期間の両方の期間において、動的な輝度値制御（および／または動的な階調値制御）の機能を十分に発揮させることができる。よって、表示品位の劣化を抑えることができる。
【０１１０】
（実施例２）
次に、図６の（ａ）および図６の（ｂ）に基づき、表示システム１００・２００の主要な動作の他の一例（実施例２）について説明する。
【０１１１】
同図は、ＢＬ制御を行うディミング期間Ｔｄが、複数フレームからなる場合を示している。
【０１１２】
本実施例では、ＢＬ制御部３６は、複数フレームからなるディミング期間Ｔｄにおいて、ディミング期間Ｔｄに含まれるフレームごとに徐々にバックライト光の輝度を調整している。
【０１１３】
なお、図６の（ａ）および図６の（ｂ）に示す例では、外光の強度が、徐々に強く（または徐々に弱く）なっているので、バックライト光の輝度も徐々に高く（または徐々に低く）している。
【０１１４】
また、例えば、ディミング期間Ｔｄ中に、外光の強度が徐々に強く（または徐々に弱く）なった後、徐々に弱く（または徐々に強く）なったような場合は、バックライト光の輝度も、それに対応して徐々に高くした後、徐々に低くする（徐々に低くした後、徐々に高くする）。
【０１１５】
言い換えれば、表示システム１００・２００では、ディミング期間Ｔｄに含まれるフレームの数が多くなるほど、外光の強度の変化に追従した動的なＢＬ制御を行うことが可能となる。よって、表示にちらつきをほとんど生じさせることなくバックライト光の輝度を調整することができる。
【０１１６】
（実施例３）
次に、図７の（ａ）、図７の（ｂ）および図８に基づき、表示システム１００・２００の主要な動作のさらに他の一例（実施例３）について説明する。
【０１１７】
同図は、ＢＬ制御を行うディミング期間Ｔｄが、複数フレームからなる場合を示している。
【０１１８】
また、同図では、ＢＬ制御を行うディミング期間ＴｄにＢＬ制御と併せて階調値制御を行うために、ディミング期間Ｔｄ内に新たな走査期間（割込走査期間または割込走査フレーム）を割り込ませている。
【０１１９】
上記の構成によれば、割込走査フレームにおいて表示の書き換え（リフレッシュ）が可能となるので、割込走査フレームを設けない場合と比較してリフレッシュレートを高くすることができる。よって、表示パネル２の特性によってリフレッシュレートが低くなったときに生じ易くなるちらつきを抑えることができる。
【０１２０】
なお、同図に示すように、ディミング期間Ｔｄが終了したタイミング（ＢＬ制御信号の出力を停止するタイミング）で割込走査期間を終了させて休止期間に戻しても良い。
【０１２１】
なお、休止期間の戻し方としては、下記（１）および（２）の形態が考えられる。
（１）図７の（ａ）（または図７の（ｂ））に示すように、割込走査フレームが存在する休止期間をリセットしない形態。
（２）図８に示すように、割込走査フレームが存在する休止期間をリセットする形態。
【０１２２】
なお、上記（１）のケースでは、割込走査フレームが存在する休止期間をリセットしないので、割込走査フレームの有無に関わらず、割込走査フレーム以外の走査フレームの長さは、常にＴ１であり、休止フレームの長さは、常にＴ２となる。
【０１２３】
また、上記（２）のケースでは、割込走査フレームが存在する休止期間をリセットするので、割込走査フレームの終了時点から休止期間Ｔ２が経過した後に、次回の走査フレームが設けられる。
【０１２４】
（消費電力の削減効果）
図９は、ある表示装置の消費電力特性を表で示したものである。図１０は、図９に示した消費電力特性をグラフで示したものである。
【０１２５】
この消費電力特性は、各画素のＴＦＴとして酸化物半導体を用いたＴＦＴを採用している、１０．８型の液晶表示装置のものである。
【０１２６】
この消費電力特性によると、表示パネルのリフレッシュレートを下げるほど、消費電力を低減できることが分かる。
【０１２７】
また、この消費電力特性によると、リフレッシュレートに関わらず、極性反転方式を「２Ｈドット反転」から「ソース反転」へ変更することによっても、消費電力を低減できることが分かる。
【０１２８】
すなわち、この消費電力特性によると、表示パネルのリフレッシュレートを下げることによっても、極性反転方式を変更することによっても、消費電力を低減できることが分かる。
【０１２９】
ここで、上記表示装置において、極性反転方式として「ソース反転」が設定され、リフレッシュレートとして「６０Ｈｚ」が設定されているとする。この時、表示装置の消費電力は、「４１７．７８ｍＷ」である。
【０１３０】
そして、上記表示装置において、リフレッシュレートが「３０Ｈｚ」に低下したとする。この時、表示装置の消費電力は、「３０９．８７ｍＷ」となり、消費電力が「１０７．９１ｍＷ」低減したことになる。
【０１３１】
また、上記表示装置において、上記リフレッシュレートの変更に伴う表示画質の低下を抑制するため、さらに、極性反転方式を「ソース反転」から「２Ｈドット反転」へ変更したとする。この時、表示装置の消費電力は、「４１６．７９ｍＷ」となり、消費電力が「１０６．９２ｍＷ」増加したことになる。
【０１３２】
この消費電力の増加量は、上記リフレッシュレートの変更による消費電力の低減量よりも少ないため、結果的に、消費電力を低減しつつ、表示画質の低下を抑制したことになる。
【０１３３】
このことから、リフレッシュレートが低下したことによる表示画質の低下を抑制するために消費電力が増加することとなったとしても、その増加量が、リフレッシュレートが低下したことによる消費電力の低減量を超えないようにすることができることが分かる。
【０１３４】
〔本発明の別の表現〕
また、本発明は、以下のように表現しても良い。
【０１３５】
まず、仮に上記の特許文献２の技術と上記の輝度値制御とを単純に組み合わせた場合、低消費電力モード（または休止期間）での表示品位が劣化する可能性があるという副次的な問題点がある。
【０１３６】
例えば、上記の特許文献２の技術では、低消費電力モードで液晶表示装置の駆動回路に対して、通常の動作クロックの周波数よりも低いスリープクロックが与えられるため、当然ながら輝度値制御の基準となるクロック周波数も低くなる。
【０１３７】
このため、低消費電力モードでは、輝度値制御の動作も低速となってしまい、動的な輝度値制御（例えば、外光の強度の検出結果に応じてバックライト光の輝度値を調整するアクティブＢＬなど）を行う場合に、動的な輝度値制御の機能を十分に発揮させることができず、表示のちらつきなどの不具合が発生する可能性がある。
【０１３８】
そこで、本発明の表示装置は、上記の構成に加えて、上記輝度制御信号出力部は、上記休止期間における上記輝度制御信号を、上記走査期間と同一の出力基準に従って出力しても良い。
【０１３９】
上記の構成によれば、走査期間における輝度値制御と同一の出力基準に従った輝度値制御が、休止期間において行われる。よって、例えば、特許文献２に記載の技術のように、休止期間中に輝度値制御の動作が低速化したりすることはない。すなわち、走査期間と休止期間とで同様の輝度値制御を行うので、走査期間および休止期間の両方の期間において、動的な輝度値制御の機能を十分に発揮させることができる。よって、表示品位の劣化を抑えることができる。
【０１４０】
なお、「出力基準が同一」である場合の例としては、輝度値制御を行う時間間隔が同一である場合の他、外光の強度に対して光の輝度を決定する基準が同一である場合などを例示することができる。
【０１４１】
また、本発明の表示装置は、上記輝度制御信号出力部は、予め定められた外光の強度と上記画面に照射する光の輝度との対応関係に基づいて決定される輝度設定値に応じて上記輝度制御信号を生成しても良い。
【０１４２】
上記の構成によれば、休止期間中に外光の強度が変化した場合でも、光の輝度をより高くするか、またはより低くするかを決定できるので、休止期間中の輝度値制御を適切に行うことが可能となる。これにより、表示品位の劣化を抑えることができる。
【０１４３】
また、本発明の表示装置は、上記輝度制御信号出力部は、上記光の輝度の調整を行う期間であって、少なくとも１つの垂直同期期間からなるディミング期間において、該ディミング期間に含まれる垂直同期期間ごとに上記輝度制御信号を出力しても良い。
【０１４４】
上記構成によれば、ディミング期間に含まれる垂直同期期間の数が多くなるほど、外光の強度の変化に追従した動的な輝度値制御を行うことが可能となる。よって、表示にちらつきをほとんど生じさせることなく光の輝度を調整することができる。
【０１４５】
また、本発明の表示装置は、上記の構成に加えて、上記駆動制御部は、上記ディミング期間内に新たな走査期間を設けても良い。
【０１４６】
上記の構成によれば、新たな走査期間において表示の書き換え（リフレッシュ）が可能となるので、新たな走査期間を設けない場合と比較してリフレッシュレートを高くすることができる。よって、画面（表示パネル）の特性によってリフレッシュレートが低くなったときに生じ易くなるちらつきを抑えることができる。
【０１４７】
また、本発明の表示装置は、上記駆動制御部は、上記輝度制御信号出力部が上記輝度制御信号の出力を停止するタイミングで、上記新たな走査期間を終了させて休止期間に戻しても良い。
【０１４８】
上記の構成によれば、新たな走査期間が不必要に長くなるのを回避できるので、その分消費電力の節約が可能となる。
【０１４９】
また、本発明の表示装置は、上記輝度制御信号出力部は、上記対応関係に基づいて決定される上記輝度設定値に応じてデューティ比を調整したパルス幅変調信号を、上記輝度制御信号として生成しても良い。
【０１５０】
上記の構成によれば、一本の導線でパルス幅変調信号（ＰＷＭ信号）を、例えば上記の光照射部に供給して光の輝度を調整できるので、表示装置の構成がより簡単になる。
【０１５１】
また、本発明の表示装置は、液晶表示装置であっても良い。
【０１５２】
上記の構成によれば、消費電力を低減しつつ休止期間中の表示品位の劣化を抑えることができる液晶表示装置の実現が可能となる。
【０１５３】
ところで、消費電力を低下させる方法として、外光の強度の検出結果に応じて画面の各画素に出力する階調値をコントロールし、消費電力を低下させる方法（以下、「階調値制御」と略称する）を行うことも考えられる。
【０１５４】
しかしながら、上記の特許文献１の技術と階調値制御とを単純に組み合わせた場合のように、休止期間において階調値制御用の信号の供給を停止してしまうと、階調値制御が効果的に行われず、表示のちらつきなどの不具合が発生する可能性が高くなるという副次的な問題点がある。
【０１５５】
そこで、本発明の表示装置は、少なくとも上記新たな走査期間において、上記検出データ取得部が取得した検出データに応じて上記画面の各画素に出力する階調値を調整するための階調制御信号を出力する階調制御信号出力部を備えていても良い。
【０１５６】
上記の構成によれば、階調制御信号出力部は、少なくとも上記新たな走査期間において、上記検出データ取得部が取得した検出データに応じて上記画面の各画素に出力する階調値を調整するための階調制御信号を出力する。言い換えれば、本発明の表示装置では、少なくとも新たな走査期間において、階調値制御を行うことが可能となる。
【０１５７】
よって、休止期間において階調値制御が行われないことによる表示のちらつきなどの不具合の発生を抑えることができる。
【０１５８】
また、本発明の表示装置は、上記階調制御信号出力部は、予め定められた外光の強度と上記画面の各画素に出力する階調値との対応関係に基づいて決定される階調設定値に応じて上記階調制御信号を生成しても良い。
【０１５９】
上記の構成によれば、休止期間中に外光の強度が変化した場合でも、上記画面の各画素に出力する階調値をより高くするか、またはより低くするかを決定できるので、休止期間中の階調値制御を適切に行うことが可能となる。これにより、表示品位の劣化を抑えることができる。
【０１６０】
また、本発明の表示装置は、上記階調制御信号出力部は、上記新たな走査期間に含まれる垂直同期期間ごとに上記階調制御信号を出力しても良い。
【０１６１】
上記構成によれば、新たな走査期間に含まれる垂直同期期間の数が多くなるほど、外光の強度の変化に追従した動的な階調値制御を行うことが可能となる。よって、表示にちらつきをほとんど生じさせることなく画面の各画素に出力する階調値を調整することができる。
【０１６２】
また、本発明の表示装置は、上記出力基準は、上記休止期間において輝度値制御を行う時間間隔を、上記走査期間における時間間隔と同一にする基準を含んでいても良いし、上記出力基準は、上記休止期間における外光の強度に対して上記輝度設定値を決定する基準を、上記走査期間における外光の強度に対して上記輝度設定値を決定する基準と同一にすることを含んでいても良い。
【０１６３】
これにより、走査期間における輝度値制御と同一の出力基準に従った輝度値制御が、休止期間において行われる。よって、例えば、特許文献２に記載の技術のように、休止期間中に輝度値制御の動作が低速化したりすることはない。すなわち、走査期間と休止期間とで同様の輝度値制御を行うので、走査期間および休止期間の両方の期間において、動的な輝度値制御の機能を十分に発揮させることができる。よって、表示品位の劣化を抑えることができる。
【０１６４】
〔付記事項〕
本発明は上述した各実施形態に限定されるものではなく、請求項に示した範囲で種々の変更が可能である。すなわち、異なる実施形態にそれぞれ開示された技術的手段を適宜組み合わせて得られる実施形態についても、本発明の技術的範囲に含まれる。
【産業上の利用可能性】
【０１６５】
本発明に係る表示装置は、液晶表示装置、有機ＥＬ表示装置、および電子ペーパーなどの各種の表示装置として広く利用できる。
【符号の説明】
【０１６６】
１    表示装置（液晶表示装置）
２    表示パネル（画面）
４    走査線駆動回路
６    信号線駆動回路
１０  タイミングコントローラー（駆動制御部）
３０ｂ  システム側コントロール部（駆動制御部）
４０  センサ部（光検出部）
５０  光照射部
１００，２００  表示システム（表示装置）
１０１  データ解析部（検出データ取得部）
１０４  ＢＬ輝度設定部（輝度制御信号出力部）
１０７  階調設定制御部（階調制御信号出力部）
Ｔ１    走査期間
Ｔ２    休止期間
Ｔｄ    ディミング期間
【図１】
2012137791.tif 000003
【図２】
2012137791.tif 000004
【図３】
2012137791.tif 000005
【図４】
2012137791.tif 000006
【図５】
2012137791.tif 000007
【図６】
2012137791.tif 000008
【図７】
2012137791.tif 000009
【図８】
2012137791.tif 000010
【図９】
2012137791.tif 000011
【図１０】
2012137791.tif 000012
【手続補正書】
【提出日】平成25年3月6日(2013.3.6)
【手続補正１】
【補正対象書類名】特許請求の範囲
【補正対象項目名】全文
【補正方法】変更
【補正の内容】
【特許請求の範囲】
【請求項１】
マトリクス状に配置された複数の画素からなる画面における複数の走査信号線のそれぞれを順次選択する走査線駆動回路と、
選択された走査信号線に連なる複数の画素のそれぞれに対応するデータ信号線を介して、データ信号を順次供給する信号線駆動回路と、
１画面を走査する走査期間に続けて、全走査信号線を非走査状態とする休止期間を設けて上記走査線駆動回路および上記信号線駆動回路を駆動する駆動制御部と、
外光の強度の検出データを取得する検出データ取得部と、
少なくとも上記休止期間において、上記検出データ取得部が取得した検出データに応じて上記画面に照射する光の輝度を調整するための輝度制御信号を出力する輝度制御信号出力部と、
を備え、
上記輝度制御信号出力部は、
予め定められた外光の強度と上記画面に照射する光の輝度との対応関係に基づいて決定される輝度設定値に応じて上記輝度制御信号を生成し、
上記光の輝度の調整を行う期間であって、少なくとも１つの垂直同期期間からなるディミング期間において、該ディミング期間に含まれる垂直同期期間ごとに上記輝度制御信号を出力することを特徴とする表示装置。
【請求項２】
上記輝度制御信号出力部は、
上記休止期間における上記輝度制御信号を、上記走査期間と同一の出力基準に従って出力することを特徴とする請求項１に記載の表示装置。
【請求項３】
上記駆動制御部は、
上記ディミング期間内に新たな走査期間を設けることを特徴とする請求項１に記載の表示装置。
【請求項４】
上記駆動制御部は、
上記輝度制御信号出力部が上記輝度制御信号の出力を停止するタイミングで、上記新たな走査期間を終了させて休止期間に戻すことを特徴とする請求項３に記載の表示装置。
【請求項５】
上記輝度制御信号出力部は、
上記対応関係に基づいて決定される上記輝度設定値に応じてデューティ比を調整したパルス幅変調信号を、上記輝度制御信号として生成することを特徴とする請求項１から４までのいずれか１項に記載の表示装置。
【請求項６】
液晶表示装置であることを特徴とする請求項１から５までのいずれか１項に記載の表示装置。
【請求項７】
少なくとも上記新たな走査期間において、上記検出データ取得部が取得した検出データに応じて上記画面の各画素に出力する階調値を調整するための階調制御信号を出力する階調制御信号出力部を備えていることを特徴とする請求項３に記載の表示装置。
【請求項８】
上記階調制御信号出力部は、
予め定められた外光の強度と上記画面の各画素に出力する階調値との対応関係に基づいて決定される階調設定値に応じて上記階調制御信号を生成することを特徴とする請求項７に記載の表示装置。
【請求項９】
上記階調制御信号出力部は、
上記新たな走査期間に含まれる垂直同期期間ごとに上記階調制御信号を出力することを特徴とする請求項８に記載の表示装置。
【請求項１０】
上記出力基準は、上記休止期間において輝度値制御を行う時間間隔を、上記走査期間における時間間隔と同一にする基準を含むことを特徴とする請求項２に記載の表示装置。
【請求項１１】
上記出力基準は、上記休止期間における外光の強度に対して上記輝度設定値を決定する基準を、上記走査期間における外光の強度に対して上記輝度設定値を決定する基準と同一にすることを含むことを特徴とする請求項２に記載の表示装置。
【請求項１２】
マトリクス状に配置された複数の画素からなる画面における複数の走査信号線のそれぞれを順次選択する走査線駆動回路と、選択された走査信号線に連なる複数の画素のそれぞれに対応するデータ信号線を介して、データ信号を順次供給する信号線駆動回路と、を備えた表示装置の駆動方法であって、
１画面を走査する走査期間に続けて、全走査信号線を非走査状態とする休止期間を設けて上記走査線駆動回路および上記信号線駆動回路を駆動する駆動制御工程と、
外光の強度の検出データを取得する検出データ取得工程と、
少なくとも上記休止期間において、上記検出データ取得工程で取得した検出データに応じて上記画面に照射する光の輝度を調整するための輝度制御信号を出力する輝度制御信号出力工程と、
を含み、
上記輝度制御信号出力工程で、
予め定められた外光の強度と上記画面に照射する光の輝度との対応関係に基づいて決定される輝度設定値に応じて上記輝度制御信号を生成し、
上記光の輝度の調整を行う期間であって、少なくとも１つの垂直同期期間からなるディミング期間において、該ディミング期間に含まれる垂直同期期間ごとに上記輝度制御信号を出力することを特徴とする表示装置の駆動方法。
【請求項１３】
マトリクス状に配置された複数の画素からなる画面における複数の走査信号線のそれぞれを順次選択する走査線駆動回路と、
選択された走査信号線に連なる複数の画素のそれぞれに対応するデータ信号線を介して、データ信号を順次供給する信号線駆動回路と、
１画面を走査する走査期間に続けて、全走査信号線を非走査状態とする休止期間を設けて上記走査線駆動回路および上記信号線駆動回路を駆動する駆動制御部と、
外光の強度の検出データを取得する検出データ取得部と、
少なくとも上記休止期間において、上記検出データ取得部が取得した検出データに応じて上記画面に照射する光の輝度を調整するための輝度制御信号を出力する輝度制御信号出力部と、を備えた表示装置と、
外光の強度の検出データを出力する光検出部と、
上記表示装置の輝度制御信号出力部が出力する輝度制御信号を取得し、取得した輝度制御信号に応じて上記画面に照射する光の輝度を調整する光照射部と、を備え、
上記表示装置の輝度制御信号出力部は、
予め定められた外光の強度と上記画面に照射する光の輝度との対応関係に基づいて決定される輝度設定値に応じて上記輝度制御信号を生成し、
上記光の輝度の調整を行う期間であって、少なくとも１つの垂直同期期間からなるディミング期間において、該ディミング期間に含まれる垂直同期期間ごとに上記輝度制御信号を出力することを特徴とする電子機器。
【国際調査報告】
2012137791.tif 000013
2012137791.tif 000014
2012137791.tif 000015
2012137791.tif 000016